(57)【要約】【課題】地上波を受信するＴＶ放送受信システムにおいて、多指向性アンテナ及びＴＶ放送受信装置のセットアップを容易にすると共に、１台の多指向性アンテナを複数台のＴＶ放送受信装置で共用することができるようにする。【解決手段】ＴＶ放送受信システム１は、１台の多指向性アンテナ３と、これに接続される複数台のＴＶ放送受信装置２Ａ，２Ｂを備える。ＴＶ放送受信装置２Ａ，２Ｂは、多指向性アンテナ３を制御するアンテナ制御信号にＴＶ放送受信装置２Ａ，２Ｂを識別するための機器識別情報を付加して機器識別情報付き制御信号を生成し、トランスミッタ２７Ａ，２７Ｂから無線送信する。一方、多指向性アンテナ３は、この機器識別情報付き制御信号をレシーバ３３を介して受信し、機器識別情報を参照して、所定機器から機器識別情報付き制御信号を受信した場合にのみ、アンテナ制御信号を抽出してアンテナの有効な受信方向等を切り替える。【選択図】  図２
2006025200.tif 000002
【特許請求の範囲】
【請求項１】
予め定められている複数の受信方向を有する多指向性アンテナと、前記多指向性アンテナが接続され、この多指向性アンテナの複数の受信方向のうちのいずれか１つの受信方向のみを有効にして、テレビジョン放送信号を受信するテレビジョン放送受信装置とを備えたテレビジョン放送受信システムにおいて、
前記テレビジョン放送受信装置は、
前記多指向性アンテナが接続され、テレビジョン放送信号の受信を行う受信手段と、
前記受信手段によりテレビジョン放送信号を受信する際の前記多指向性アンテナの有効な受信方向、及びゲインを制御するためのアンテナ制御信号に、前記多指向性アンテナに接続されているテレビジョン放送受信装置を識別するための機器ＩＤ、及びこの機器ＩＤに対応して設定された優先順位を含む機器識別情報を付加して、機器識別情報付き制御信号を生成する制御信号生成手段と、
前記制御信号生成手段により生成された機器識別情報付き制御信号を、無線により前記多指向性アンテナに送信する制御信号送信手段とを有し、
前記多指向性アンテナは、
前記制御信号送信手段により送信された機器識別情報付き制御信号を受信する制御信号受信手段と、
前記制御信号受信手段により受信した機器識別情報付き制御信号に含まれる前記機器識別情報を参照して、先に受信している機器識別情報付き制御信号より、新たに受信した機器識別情報付き制御信号の優先順位が低くない場合に、この新たに受信した機器識別情報付き制御信号から前記機器識別情報を取り除いて、前記アンテナ制御信号をＣＥＡ−９０９規格に準拠した形式で抽出するアンテナ制御信号抽出手段と、
前記アンテナ制御信号抽出手段により抽出されたアンテナ制御信号に基づいて、前記多指向性アンテナの有効な受信方向、及びゲインを切り替えるアンテナ設定切替手段とを有することを特徴とするテレビジョン放送受信システム。
【請求項２】
予め定められている複数の受信方向を有する多指向性アンテナと、前記多指向性アンテナが接続され、この多指向性アンテナの複数の受信方向のうちのいずれか１つの受信方向のみを有効にして、テレビジョン放送信号を受信するテレビジョン放送受信装置とを備えたテレビジョン放送受信システムにおいて、
前記テレビジョン放送受信装置は、
前記多指向性アンテナが接続され、テレビジョン放送信号の受信を行う受信手段と、
前記受信手段によりテレビジョン放送信号を受信する際の前記多指向性アンテナの有効な受信方向を制御するためのアンテナ制御信号を、無線により前記多指向性アンテナに送信する制御信号送信手段とを有し、
前記多指向性アンテナは、
前記制御信号送信手段により送信されたアンテナ制御信号を受信する制御信号受信手段と、
前記制御信号受信手段により受信したアンテナ制御信号に基づいて、前記多指向性アンテナの有効な受信方向を切り替えるアンテナ設定切替手段とを有することを特徴とするテレビジョン放送受信システム。
【請求項３】
予め定められている複数の受信方向を有する多指向性アンテナと、前記多指向性アンテナが接続され、この多指向性アンテナの複数の受信方向のうちのいずれか１つの受信方向のみを有効にして、テレビジョン放送信号を受信するテレビジョン放送受信装置とを備えたテレビジョン放送受信システムにおいて、
前記テレビジョン放送受信装置は、
前記多指向性アンテナが接続され、テレビジョン放送信号の受信を行う受信手段と、
前記受信手段によりテレビジョン放送信号を受信する際の前記多指向性アンテナの有効な受信方向を制御するためのアンテナ制御信号に、前記多指向性アンテナに接続されているテレビジョン放送受信装置を識別するための機器ＩＤを含む機器識別情報を付加して、機器識別情報付き制御信号を生成する制御信号生成手段と、
前記制御信号生成手段により生成された機器識別情報付き制御信号を、無線により前記多指向性アンテナに送信する制御信号送信手段とを有し、
前記多指向性アンテナは、
前記制御信号送信手段により送信された機器識別情報付き制御信号を受信する制御信号受信手段と、
前記制御信号受信手段により受信した機器識別情報付き制御信号に含まれる前記機器識別情報を参照して、所定機器からの信号である場合に、前記機器識別情報付き制御信号から前記機器識別情報を取り除いて、前記アンテナ制御信号を抽出するアンテナ制御信号抽出手段と、
前記アンテナ制御信号抽出手段により抽出されたアンテナ制御信号に基づいて、前記多指向性アンテナの有効な受信方向を切り替えるアンテナ設定切替手段とを有することを特徴とするテレビジョン放送受信システム。
【発明の詳細な説明】
【技術分野】
【０００１】
本発明は、複数の方向から配信されるテレビジョン放送信号を受信するテレビジョン放送受信システムに関する。
【背景技術】
【０００２】
ＡＴＳＣディジタルテレビジョン放送が行われている北米大陸では、平野部に大都市が点在するため、各都市の近郊で放送されているディジタルテレビジョン放送信号を他の都市や、その中間地点で受信することが可能である。また、従来のＮＴＳＣアナログテレビジョン放送も引き続き行われている。テレビジョン放送信号を受信するユーザ側から見ると、様々な方向からテレビジョン放送信号が配信されてくるため、自分の見たい番組が放送されている放送局の方向にアンテナの向きを調節する必要がある。そこで、スマートアンテナなど多指向性アンテナが実用化されつつある。ＥＩＡ−９０９規格によれば、スマートアンテナは円を１６分割した各方向に受信方向を有すると規定されている。
【０００３】
このような多指向性アンテナに接続されるテレビジョン放送受信装置は、多指向性アンテナの受信方向等を調節できるように設定されており、ＥＩＡ−９０９規格では、テレビジョン放送受信装置から多指向性アンテナに対して制御信号を送信するために、テレビジョン放送受信装置と多指向性アンテナをモジュラケーブルで接続するように規定されている。このようにモジュラケーブルで接続されたテレビジョン放送受信装置と多指向性アンテナの間では、ＣＥＡ−９０９インタフェースを介して制御信号の送受信が行われる。
【０００４】
ところで、指向性アンテナ等を使用した従来のテレビジョン放送受信システムにおいては、アンテナとテレビジョン放送受信装置をモジュラケーブルで接続するようなシステムは存在しないため、上述のように多指向性アンテナとテレビジョン放送受信装置をモジュラケーブルで接続するテレビジョン放送受信システムでは、システムのセットアップの際に、ユーザが混乱する虞れがある。
【０００５】
また、指向性アンテナ等を使用した従来のテレビジョン受信システムにおいては、１台のアンテナに複数台のテレビジョン放送受信装置を接続して使用する場合があるが、多指向性アンテナを使用したテレビジョン放送受信システムでは、視聴するチャンネルによって多指向性アンテナの最適な受信方向が異なる場合があるため、複数のテレビジョン放送受信装置でテレビ番組を視聴する場合、これら複数のテレビジョン放送受信装置間で、多指向性アンテナを制御する権限を調整する必要がある。なお、複数の端末間で行われる通信を調整する方法として、例えば、特許文献１乃至特許文献３に記載される方法等が知られている。
【特許文献１】特開平７−３０７７４２号公報
【特許文献２】特開平１１−５５２６６号公報
【特許文献３】特開２００１−２３７８３９号公報
【発明の開示】
【発明が解決しようとする課題】
【０００６】
しかしながら、モジュラケーブルを介することなく、テレビジョン放送受信装置から多指向性アンテナを制御することができるテレビジョン放送受信システムは、現在のところ知られておらず、また、１台の多指向性アンテナに複数台のテレビジョン放送受信装置が接続されて使用される場合に、これら複数のテレビジョン放送受信装置間で、多指向性アンテナを制御する権限を調整することができるテレビジョン放送受信システムも知られていない。なお、上述した特許文献１乃至特許文献３に開示の内容を適用したとしても、上述した問題を解決することはできない。
【０００７】
本発明は、上記の問題を解決するためになされたものであり、多指向性アンテナ及びテレビジョン放送受信装置のセットアップを容易にすると共に、１台の多指向性アンテナを複数台のテレビジョン放送受信装置で共用することができるテレビジョン放送受信システムを提供することを目的とする。
【課題を解決するための手段】
【０００８】
上記目的を達成するために請求項１の発明は、予め定められている複数の受信方向を有する多指向性アンテナと、前記多指向性アンテナが接続され、この多指向性アンテナの複数の受信方向のうちのいずれか１つの受信方向のみを有効にして、テレビジョン放送信号を受信するテレビジョン放送受信装置とを備えたテレビジョン放送受信システムにおいて、前記テレビジョン放送受信装置は、前記多指向性アンテナが接続され、テレビジョン放送信号の受信を行う受信手段と、前記受信手段によりテレビジョン放送信号を受信する際の前記多指向性アンテナの有効な受信方向、及びゲインを制御するためのアンテナ制御信号に、前記多指向性アンテナに接続されているテレビジョン放送受信装置を識別するための機器ＩＤ、及びこの機器ＩＤに対応して設定された優先順位を含む機器識別情報を付加して、機器識別情報付き制御信号を生成する制御信号生成手段と、前記制御信号生成手段により生成された機器識別情報付き制御信号を、無線により前記多指向性アンテナに送信する制御信号送信手段とを有し、前記多指向性アンテナは、前記制御信号送信手段により送信された機器識別情報付き制御信号を受信する制御信号受信手段と、前記制御信号受信手段により受信した機器識別情報付き制御信号に含まれる前記機器識別情報を参照して、先に受信している機器識別情報付き制御信号より、新たに受信した機器識別情報付き制御信号の優先順位が低くない場合に、この新たに受信した機器識別情報付き制御信号から前記機器識別情報を取り除いて、前記アンテナ制御信号をＣＥＡ−９０９規格に準拠した形式で抽出するアンテナ制御信号抽出手段と、前記アンテナ制御信号抽出手段により抽出されたアンテナ制御信号に基づいて、前記多指向性アンテナの有効な受信方向、及びゲインを切り替えるアンテナ設定切替手段とを有することを特徴とする。
【０００９】
請求項２の発明は、予め定められている複数の受信方向を有する多指向性アンテナと、前記多指向性アンテナが接続され、この多指向性アンテナの複数の受信方向のうちのいずれか１つの受信方向のみを有効にして、テレビジョン放送信号を受信するテレビジョン放送受信装置とを備えたテレビジョン放送受信システムにおいて、前記テレビジョン放送受信装置は、前記多指向性アンテナが接続され、テレビジョン放送信号の受信を行う受信手段と、前記受信手段によりテレビジョン放送信号を受信する際の前記多指向性アンテナの有効な受信方向を制御するためのアンテナ制御信号を、無線により前記多指向性アンテナに送信する制御信号送信手段とを有し、前記多指向性アンテナは、前記制御信号送信手段により送信されたアンテナ制御信号を受信する制御信号受信手段と、前記制御信号受信手段により受信したアンテナ制御信号に基づいて、前記多指向性アンテナの有効な受信方向を切り替えるアンテナ設定切替手段とを有することを特徴とする。
【００１０】
請求項３の発明は、予め定められている複数の受信方向を有する多指向性アンテナと、前記多指向性アンテナが接続され、この多指向性アンテナの複数の受信方向のうちのいずれか１つの受信方向のみを有効にして、テレビジョン放送信号を受信するテレビジョン放送受信装置とを備えたテレビジョン放送受信システムにおいて、前記テレビジョン放送受信装置は、前記多指向性アンテナが接続され、テレビジョン放送信号の受信を行う受信手段と、前記受信手段によりテレビジョン放送信号を受信する際の前記多指向性アンテナの有効な受信方向を制御するためのアンテナ制御信号に、前記多指向性アンテナに接続されているテレビジョン放送受信装置を識別するための機器ＩＤを含む機器識別情報を付加して、機器識別情報付き制御信号を生成する制御信号生成手段と、前記制御信号生成手段により生成された機器識別情報付き制御信号を、無線により前記多指向性アンテナに送信する制御信号送信手段とを有し、前記多指向性アンテナは、前記制御信号送信手段により送信された機器識別情報付き制御信号を受信する制御信号受信手段と、前記制御信号受信手段により受信した機器識別情報付き制御信号に含まれる前記機器識別情報を参照して、所定機器からの信号である場合に、前記機器識別情報付き制御信号から前記機器識別情報を取り除いて、前記アンテナ制御信号を抽出するアンテナ制御信号抽出手段と、前記アンテナ制御信号抽出手段により抽出されたアンテナ制御信号に基づいて、前記多指向性アンテナの有効な受信方向を切り替えるアンテナ設定切替手段とを有することを特徴とする。
【発明の効果】
【００１１】
請求項１の発明によれば、テレビジョン放送受信装置は、機器識別情報付き制御信号を、無線により多指向性アンテナに送信する制御信号送信手段を有し、多指向性アンテナは、機器識別情報付き制御信号を受信する制御信号受信手段と、この制御信号受信手段により受信した機器識別情報付き制御信号に含まれるアンテナ制御信号に基づいて、多指向性アンテナの有効な受信方向、及びゲインを切り替えるアンテナ設定切替手段を備えるので、テレビジョン放送受信装置と多指向性アンテナをモジュラケーブルで接続しなくても、テレビジョン放送受信装置から多指向性アンテナを制御することが可能となる。このため、テレビジョン放送受信装置と多指向性アンテナをモジュラケーブルで接続する必要がなくなり、テレビジョン放送受信装置及び多指向性アンテナのセットアップが容易になる。
【００１２】
また、制御信号受信手段により受信した機器識別情報付き制御信号に含まれる機器識別情報を参照して、優先順位が高い機器から機器識別情報付き制御信号を受信した場合にのみ、アンテナ制御信号抽出手段によりアンテナ制御信号を抽出し、抽出されたアンテナ制御信号に基づいて、アンテナ設定切替手段により多指向性アンテナの有効な受信方向等を切り替えるので、複数のテレビジョン放送受信装置間で、多指向性アンテナを制御する権限を調整することが可能となる。このため、１台の多指向性アンテナを複数台のテレビジョン放送受信装置で共用することができる。
【００１３】
また、優先順位が高い機器から機器識別情報付き制御信号を受信した場合にのみ、アンテナ制御信号抽出手段によりアンテナ制御信号を抽出し、抽出されたアンテナ制御信号に基づいて、多指向性アンテナの有効な受信方向を切り替えるので、所定機器以外からの電波によるスマートアンテナの誤動作を防ぐことができる。
【００１４】
請求項２の発明によれば、テレビジョン放送受信装置は、アンテナ制御信号を、無線により多指向性アンテナに送信する制御信号送信手段を有し、多指向性アンテナは、アンテナ制御信号を受信する制御信号受信手段と、この制御信号受信手段により受信したアンテナ制御信号に基づいて、多指向性アンテナの有効な受信方向を切り替えるアンテナ設定切替手段を備えるので、テレビジョン放送受信装置と多指向性アンテナをモジュラケーブルで接続しなくても、テレビジョン放送受信装置から多指向性アンテナを制御することが可能となる。このため、テレビジョン放送受信装置と多指向性アンテナをモジュラケーブルで接続する必要が無くなり、テレビジョン放送受信装置及び多指向性アンテナのセットアップが容易になる。
【００１５】
請求項３の発明によれば、所定機器から機器識別情報付き制御信号を受信した場合にのみ、アンテナ制御信号抽出手段によりアンテナ制御信号を抽出し、抽出されたアンテナ制御信号に基づいて、アンテナ設定切替手段により多指向性アンテナの有効な受信方向を切り替えるので、所定機器以外からの電波によるスマートアンテナの誤動作を防ぐことができる。
【発明を実施するための最良の形態】
【００１６】
本発明の一実施の形態に係るテレビジョン（ＴＶ）放送受信システムについて説明する。ユーザが家庭においてディジタルＴＶ放送信号（以下、単にＴＶ放送信号という）を受信する状況を図１に示す。ディジタルＴＶ放送が行われている地域では、受信したＴＶ放送信号の強度が一定の閾値以上であれば、補正などにより一定の画質の画像が得られる。そのため、図１に示すように、Ａ地域、Ｂ地域、Ｃ地域など複数箇所に点在する放送局から送信されてくるＴＶ放送信号を受信して、ＴＶ番組を視聴することができる。このような状況に対応して、複数の受信方向を有するスマートアンテナと呼ばれる多指向性アンテナが実用化されている。
【００１７】
ＴＶ放送受信システムは、１台又は複数台のＴＶ放送受信装置と、１台又は複数台のスマートアンテナを含んで構成される。図２に示されるように、本実施形態においては、１台のスマートアンテナ３に、２台のＴＶ放送受信装置２Ａ，２Ｂを接続した場合について説明する。各ＴＶ放送受信装置２Ａ，２Ｂは、スマートアンテナ３の有効な受信方向を切り替えることにより、複数箇所に点在する放送局から所定周波数帯域で配信されてくるＴＶ放送信号を受信して、各チャンネルのＴＶ放送信号に含まれるＴＶ番組をモニタ装置に出力する。なお、本実施の形態の説明では、ＴＶ番組の放送に使用されている搬送波の周波数帯域である物理チャンネルのことを、単にチャンネルという。
【００１８】
ＴＶ放送受信装置２Ａ，２Ｂは、スマートアンテナ３に接続されＴＶ放送信号を受信するチューナ（受信手段）２１Ａ，２１Ｂ、チューナ２１Ａ，２１Ｂで受信したＴＶ放送信号に対して所定の信号処理を行い、復号化するフロントエンド２２Ａ，２２Ｂ、ＭＰＥＧ圧縮されていたＴＶ放送信号をデコードするＭＰＥＧデコーダ２３Ａ，２３Ｂ、デコードされたＴＶ放送信号に所定の表示画像を重畳させるオンスクリーンディスプレイ（ＯＳＤ）部２４Ａ，２４Ｂ、チューナ２１Ａ，２１Ｂにより受信したＴＶ放送信号の受信状態を検知し、アンテナ制御信号を出力してスマートアンテナ３の制御ユニット３２を制御すると共に、各ＴＶ放送受信装置２Ａ，２Ｂ全体を制御する制御部２５Ａ，２５Ｂ、受信方向テーブルを記憶するメモリ２６Ａ，２６Ｂ、及びトランスミッタ２７Ａ，２７Ｂなどで構成されている。ＭＰＥＧデコーダ２３Ａ，２３ＢによりデコードされたＴＶ放送信号は、オンスクリーンディスプレイ部２４Ａ，２４Ｂを介してモニタ装置に出力され、表示される。
【００１９】
メモリ２６Ａ，２６Ｂに記憶される受信方向テーブルは、放送局から配信される各チャンネルのチャンネル番号、これら各チャンネルを受信する際のスマートアンテナ３の最適受信方向、及びこれら各チャンネルが選局可能なチャンネルとして登録されているか否かを示す登録チャンネル情報を含んでいる。なお、以下においては、あるチャンネルが選局可能なチャンネルとして登録されている状態をＡＤＤフラグがオン状態であると表現し、あるチャンネルが選局不可能なチャンネルとして登録されている状態をＡＤＤフラグがオフ状態であると表現する。また、受信方向テーブルから登録チャンネル情報が削除されることを、ＡＤＤフラグをオン状態からオフ状態に変更すると表現し、受信方向テーブルに登録チャンネル情報が登録されることを、ＡＤＤフラグをオフ状態からオン状態に変更すると表現する。
【００２０】
トランスミッタ２７Ａ，２７Ｂは、制御部２５Ａ，２５Ｂから入力されるアンテナ制御信号に基づいて、後述する制御信号送信処理を実行することにより制御信号生成手段及び制御信号送信手段として機能する。
【００２１】
スマートアンテナ３は、有効な受信方向を機械的又は電子的に切り替えることにより複数の受信方向Ｄ１〜Ｄ１６（図３参照）からＴＶ放送信号を受信するアンテナ部３１と、アンテナ部３１の動作を制御する制御ユニット３２と、レシーバ３３と、アンテナ部３１で受信したＴＶ放送信号を増幅するアンプ（図示せず）を備えている。レシーバ３３は、後述する制御信号受信処理を実行することにより、制御信号受信手段及びアンテナ制御信号抽出手段として機能し、アンテナ制御信号を制御ユニット３２に出力する。制御ユニット３２は、入力されたアンテナ制御信号に応じて、アンテナ部３１の複数ある受信方向Ｄ１〜Ｄ１６のうち、指示された受信方向のみを有効にすると共に、アンプのゲインを切り替えるアンテナ設定切替手段として機能する。
【００２２】
次に、ＴＶ放送受信装置２Ａ，２Ｂの基本的な動作について説明する。まず、放送局から配信される任意の１チャンネルについて最適受信方向等を決定する、オートスキャン処理について図４のフローチャートを参照して説明する。ユーザによりオートスキャンモードが選択され、最適受信方向を決定するチャンネルが設定されると、制御部２５Ａ，２５Ｂは、スマートアンテナ３の受信方向Ｄ１〜Ｄ１６の数に応じてカウンタの初期値ｎ（ここでは”１６”）を設定する（Ｓ１）。そして、第ｎ番目の方向を指定するアンテナ制御信号をスマートアンテナ３に出力し（Ｓ２）、チューナ２１Ａ，２１Ｂにより所定チャンネルのＴＶ放送信号を受信する（Ｓ３）。さらに、ＴＶ放送受信装置２Ａ，２Ｂは、受信したＴＶ放送信号の受信強度を測定し、測定結果をメモリ２６Ａ，２６Ｂに記憶する（Ｓ４）。そして、カウンタを１つ減算し（Ｓ５）、スマートアンテナ３の全ての受信方向についてＴＶ放送信号の受信強度を測定したか否かを判断する（Ｓ６）。全ての受信方向についてＴＶ放送信号の受信強度を測定していない場合は（Ｓ６でＮＯ）、ステップＳ２に戻って次の受信方向についてＴＶ放送信号の受信強度を測定する。全ての受信方向についてＴＶ放送信号の受信強度の測定が完了すると（Ｓ６でＹＥＳ）、制御部２５Ａ，２５Ｂは、メモリ２６Ａ，２６Ｂに記憶されている測定データを読み出し、読み出した全ての受信強度を比較して（Ｓ７）、受信強度が最大となる方向を最適受信方向として決定し（Ｓ８）、受信方向テーブルに登録する（Ｓ９）。更に、この最適受信方向の受信強度が所定値以上か否か判断し（Ｓ１０）、所定値以上であれば（Ｓ１０でＹＥＳ）、受信方向テーブルのＡＤＤフラグをオンにして処理を終了する（Ｓ１１）。一方、最適受信方向の受信強度が所定値以下であれば（Ｓ１０でＮＯ）、ＡＤＤフラグをオンにせず（すなわち、ＡＤＤフラグがオフ状態のまま）、処理を終了する。
【００２３】
次に、図５のフローチャートを参照して、放送局から配信される全てのチャンネルついて最適受信方向等を決定する、全域スキャン処理について説明する。制御部２５Ａ，２５Ｂは、ユーザにより全域スキャンモードが選択されると、放送局から配信されるチャンネル数に応じて、カウンタの初期値ｍ、及び最適受信方向を決定するチャンネル数ｍｍａｘを設定する（Ｓ２１）。そして、第ｍ番目のチャンネルについて上記オートスキャン処理を実行することにより、このチャンネルについて最適受信方向及び登録チャンネル情報を決定し、受信方向テーブルに登録する（Ｓ２２）。そして、カウンタを１つ加算し（Ｓ２３）、全てのチャンネルについてオートスキャン処理が実行されたか否かを判断する（Ｓ２４）。全てのチャンネルについてオートスキャン処理が実行されていない場合は（Ｓ２４でＮＯ）、ステップＳ２２に戻って次のチャンネルについてオートスキャン処理が実行され、全てのチャンネルについて最適受信方向及び登録チャンネル情報が受信方向テーブルに登録されると（Ｓ２４でＹＥＳ）、処理を終了する。
【００２４】
図６は、上記全域スキャン処理により作成された受信方向テーブルの例を示す図である。受信方向テーブル５０には、チャンネル番号５１と対応させて、最適受信方向５２及び登録チャンネル情報５３が記憶されている。なお、図６において、ＡＤＤフラグのオン状態を”○”印で示し、ＡＤＤフラグのオフ状態を無印で示している。また、最適受信方向５２の欄に記載されている各数字は、図３におけるスマートアンテナ３の受信方向Ｄ１〜Ｄ１６に対応している（例えば、”２”は受信方向Ｄ２に、”３”は受信方向Ｄ３にそれぞれ対応）。制御部２５Ａ，２５Ｂは、この登録チャンネル情報に基づいて、選局可能なチャンネルとして登録されているチャンネルについてのみ選局処理を実行し、選局処理時にメモリ２６Ａ，２６Ｂから選局されるチャンネルの最適受信方向を読み出して、この最適受信方向を指示するアンテナ制御信号をスマートアンテナ３に出力することにより、選局処理を実行する。
【００２５】
次に、トランスミッタ２７Ａ，２７Ｂによる制御信号送信処理について図７及び図８を参照して説明する。トランスミッタ２７Ａ，２７Ｂは、制御部２５Ａ，２５Ｂからアンテナ制御信号６１が入力されたか否か監視し（Ｓ４１）、アンテナ制御信号６１が入力されると（Ｓ４１でＹＥＳ）、ＴＶ放送受信装置２Ａ，２Ｂを識別するための機器ＩＤ６２ａと、各ＴＶ放送受信装置２Ａ，２Ｂ毎に設定された優先順位６２ｂを含む機器識別情報６２を、アンテナ制御信号６１に付加して、機器識別情報付き制御信号６０を生成する（Ｓ４２）。そして、機器識別情報付き制御信号６０を変調して、無線によりスマートアンテナ３に送信する（Ｓ４３）。
【００２６】
次に、レシーバ３３による制御信号受信処理について図８及び図９を参照して説明する。レシーバ３３は、トランスミッタ２７Ａ，２７Ｂから送信された機器識別情報付き制御信号６０を受信したか否か監視し（Ｓ６１）、機器識別情報付き制御信号６０を受信すると（Ｓ６１でＹＥＳ）、機器識別情報付き制御信号６０を復調する（Ｓ６２）。そして、機器識別情報付き制御信号６０に含まれる機器識別情報６２を参照して、優先順位が高い機器からの機器識別情報付き制御信号６０か否か判断する（すなわち、先に受信している機器識別情報付き制御信号６０より、新たに受信した機器識別情報付き制御信号６０の優先順位６２ｂが低くないか判断する）（Ｓ６３）。そして、受信した機器識別情報付き制御信号６０が、優先順位が高い機器からの機器識別情報付き制御信号６０であれば（Ｓ６３でＹＥＳ）、機器識別情報付き制御信号６０から機器識別情報６２を取り除いて、アンテナ制御信号６１をＣＥＡ−９０９規格に準拠した形式で抽出し、制御ユニット３２に出力する（Ｓ６４）。一方、受信した機器識別情報付き制御信号６０が、優先順位が高い機器からの機器識別情報付き制御信号６０でなければ（Ｓ６３でＮＯ）、機器識別情報付き制御信号６０を破棄して（Ｓ６５）、処理を終了する。例えば、ＴＶ放送受信装置２Ａ，２Ｂの間で、ＴＶ放送受信装置２Ａの方がＴＶ放送受信装置２Ｂより優先順位が高い場合、先にＴＶ放送受信装置２Ａから機器識別情報付き制御信号６０を受信している場合には、その後に受信したＴＶ放送受信装置２Ｂからの機器識別情報付き制御信号６０は破棄される。一方、先にＴＶ放送受信装置２Ｂから機器識別情報付き制御信号６０を受信し、その後にＴＶ放送受信装置２Ａから機器識別情報付き制御信号６０を受信した場合には、ＴＶ放送受信装置２Ａの機器識別情報付き制御信号６０からアンテナ制御信号６１が抽出され、制御ユニット３２に出力される。なお、優先順位が低い機器からの機器識別情報付き制御信号６０が常に破棄されることを防ぐため、予めアンテナ制御信号６１に有効期限を設定しておき、有効期限経過後は、優先順位が低い機器からの機器識別情報付き制御信号６０を受け付けるようにしてもよい。例えば、上記例において、先に受信したＴＶ放送受信装置２Ａのアンテナ制御信号６１について有効期限が経過している場合、新たに受信したＴＶ放送受信装置２Ｂの機器識別情報付き制御信号６０について、アンテナ制御信号６１を抽出し、制御ユニット３２に出力するようにする。
【００２７】
本実施形態のＴＶ放送受信システム１によれば、ＴＶ放送受信装置２Ａ，２Ｂは、制御信号送信処理を実行して、機器識別情報付き制御信号６０を無線によりスマートアンテナ３送信し、スマートアンテナ３は、制御信号受信処理を実行して、機器識別情報付き制御信号６０を受信し、受信した機器識別情報付き制御信号６０に含まれるアンテナ制御信号６１に基づいて、スマートアンテナ３の有効な受信方向、及びアンプのゲインを切り替えるので、ＴＶ放送受信装置２Ａ，２Ｂとスマートアンテナ３をモジュラケーブルで接続しなくても、ＴＶ放送受信装置２Ａ，２Ｂからスマートアンテナ３を制御することが可能となる。このため、ＴＶ放送受信装置２Ａ，２Ｂとスマートアンテナ３をモジュラケーブルで接続する必要がなくなり、ＴＶ放送受信装置２Ａ，２Ｂ及びスマートアンテナ３のセットアップが容易になる。
【００２８】
また、スマートアンテナ３は、制御信号受信処理を実行して機器識別情報付き制御信号６０を受信し、受信した機器識別情報付き制御信号６０に含まれる機器識別情報６２を参照して、優先順位が高い機器から機器識別情報付き制御信号６０を受信した場合にのみ、アンテナ制御信号６１を抽出し、抽出されたアンテナ制御信号６１に基づいて、スマートアンテナ３の有効な受信方向等を切り替えるので、複数のＴＶ放送受信装置２Ａ，２Ｂ間で、スマートアンテナ３を制御する権限を調整することが可能となる。このため、１台のスマートアンテナ３を複数台のＴＶ放送受信装置２Ａ，２Ｂで共用することができる。
【００２９】
また、優先順位が高い機器から機器識別情報付き制御信号６０を受信した場合にのみ、アンテナ制御信号６１を抽出して、スマートアンテナ３の有効な受信方向を切り替えるので、所定機器以外からの電波によるスマートアンテナ３の誤動作を防ぐことができる。
【００３０】
なお、本発明は上記実施の形態の構成に限られることなく種々の変形が可能である。例えば、機器識別情報６２は、機器ＩＤ６２ａ及び優先順位６２ｂ以外の情報を含むものであってもよい。機器識別情報６２がどのような情報を含む場合であっても、機器識別情報６２はトランスミッタ２７Ａ，２７Ｂで付加されレシーバ３３で取り除かれるため、ＴＶ放送受信装置２Ａ，２Ｂの制御部２５Ａ，２５Ｂと、スマートアンテナ３の制御ユニット３２は、モジュラケーブル介して接続された場合と同様に、所定の形式（例えば、ＣＥＡ−９０９規格）でアンテナ制御信号６１を送受信することができる。また、複数台のＴＶ放送受信装置で１台のスマートアンテナ３を共用しない場合には、必ずしも、アンテナ制御信号６１に機器識別情報６２を付加しなくてもよく、トランスミッタ２７Ａ，２７Ｂからレシーバ３３に直接、アンテナ制御信号６１を送信するようにしてもよい。また、ＴＶ放送受信装置２Ａ，２Ｂが受信できるＴＶ放送信号は、ディジタルテレビジョン放送信号に限られずアナログテレビジョン放送信号であってもよい。
【図面の簡単な説明】
【００３１】
【図１】ユーザが家庭においてＴＶ放送信号を受信する状況を示す概念図。
【図２】本発明の実施形態に係るＴＶ放送受信システムの構成を示すブロック図。
【図３】同システムに使用されるスマートアンテナの受信方向の説明図。
【図４】同システムのＴＶ放送受信装置によるオートスキャン処理を示すフローチャート。
【図５】同受信装置による全域スキャン処理を示すフローチャート。
【図６】同全域スキャン処理により作成された受信方向テーブルを示す図。
【図７】同受信装置のトランスミッタによる制御信号送信処理を示すフローチャート。
【図８】同制御信号送信処理及び制御信号受信処理の説明図。
【図９】同スマートアンテナのレシーバによる制御信号受信処理を示すフローチャート。
【符号の説明】
【００３２】
１  テレビジョン放送受信システム
２Ａ，２Ｂ  テレビジョン放送受信装置
３  スマートアンテナ（多指向性アンテナ）
２１Ａ，２１Ｂ  チューナ
２２Ａ，２２Ｂ  フロントエンド
２３Ａ，２３Ｂ  ＭＰＥＧデコーダ
２４Ａ，２４Ｂ  オンスクリーンディスプレイ部
２５Ａ，２５Ｂ  制御部
２６Ａ，２６Ｂ  メモリ
２７Ａ，２７Ｂ  トランスミッタ
３１  アンテナ部
３２  制御ユニット
３３  レシーバ
【図１】
2006025200.tif 000003
【図２】
2006025200.tif 000004
【図３】
2006025200.tif 000005
【図４】
2006025200.tif 000006
【図５】
2006025200.tif 000007
【図６】
2006025200.tif 000008
【図７】
2006025200.tif 000009
【図８】
2006025200.tif 000010
【図９】
2006025200.tif 000011